(57)【要約】      （修正有）【課題】１人の作業員でも容易にかつ迅速に穴開けが可能なレースウェイ穴開け用治具を提供する。【解決手段】ダイ５を支える台座２とその上方の軸支持部３とを支柱４で接続した本体のダイの上面に、レースウェイを載置し、ハンドル１１を動かして軸支持部に支持された軸７下端のパンチ８をダイの位置のレースウェイに上から押し当てて穴を開けるレースウェイ穴開け工具を用いる治具において、基板１５の上にレースウェイ穴開け工具を固定し、レースウェイ穴開け工具の脇の基板に、少なくとも上部がレースウェイ形状となっているストッパーレール１８を設け、ストッパーレールの上に、ダイに載置したレースウェイの一端を係止する、摺動自在かつ固定自在なストッパー体１９を設け、ストッパーレールと反対側のレースウェイ穴開け工具の脇に、レースウェイを載せる支持基台１６を設けた。【選択図】図１
0003226136.tif 000002
【実用新案登録請求の範囲】
【請求項１】
管状のダイを支える台座とその上方の軸支持部とを後部の支柱で接続した本体の前記ダイの上面に、レースウェイを横から挿入して当該レースウェイの天板を載置し、ハンドルを動かすことにより、前記軸支持部に上下摺動自在に支持された軸の下端に設けたパンチを前記ダイの位置に対向する前記天板に上から押し当てて前記天板に穴を開けるレースウェイ穴開け工具を用いる治具において、
一定の大きさを有する基板の上に前記レースウェイ穴開け工具を固定し、前記レースウェイ穴開け工具の脇の基板に、前記レースウェイをダイに載せた方向で、少なくとも上部がレースウェイ部となっているストッパーレールを設け、当該ストッパーレールの上に、前記ダイに載置したレースウェイの一端を係止する、摺動自在かつ固定自在なストッパー体を設け、また、前記ストッパーレールと反対側の前記レースウェイ穴開け工具の脇に、前記ストッパーレールの延長線上の位置に、レースウェイを載せる支持基台を設け、当該支持基台はレースウェイ穴開け工具のダイに載せたレースウェイをほぼ水平に支持する高さを有することを特徴とする、レースウェイ穴開け用治具。
【請求項２】
前記ストッパー体は、前記ストッパーレール上に載置する水平板とその一端の垂直板とから成り、前記水平板と対向した位置に、当該ストパーレールのレースウェイ部の両上端縁を下から係止する係止板を設け、前記水平板と係止板とを貫通するボルトの端部にナットを螺着し、当該ボルト又はナットを締め付けることにより、水平板と係止板とにより前記レースウェイ部の両上端縁を挟持し、ストッパー体をストッパーレール上で固定する構成となっていることを特徴とする、請求項１に記載のレースウェイ穴開け用治具。
【請求項３】
前記支持基台は、載置するレースウェイの側面を当てるガイド板が支持基台の一側に設けられていることを特徴とする、請求項１又は２に記載のレースウェイ穴開け用治具。
【請求項４】
前記ストッパー体の水平板又は垂直板から直角に水平突体を設けたことを特徴とする、請求項１〜３のいずれかに記載のレースウェイ穴開け用治具。
【請求項５】
前記レースウェイ穴開け工具のダイ中央からの長さを表示する目盛をストッパーレールに沿って設けたことを特徴とする、請求項１〜４のいずれかに記載のレースウェイ穴開け用治具。
【考案の詳細な説明】
【技術分野】
【０００１】
この考案は、内線工事において主に電線管やケーブルラック等の支持部材として使用するレースウェイの穴開け用治具に関するものである。
【背景技術】
【０００２】
前記内線工事において、電線管やケーブルラック等の支持部材としてレースウェイが使用されている。このレースウェイは建屋の天井からの吊りボルトによって支持され、吊り下げられている。従って、この吊りボルトを通すための穴をレースウェイの天板の所定箇所に設ける必要があり、その穴開けには、レースウェイ穴開け工具を使用している。
【０００３】
このレースウェイ穴開け工具Ｂは、図１０に示すように、工具本体１は、水平な台座２とその上の軸支持部３が後部の支柱４により一体に接続されたもので、前記台座２の上に管状のダイ５が立設され、ダイ５の上方に孔を有するストリッパー６が前記支柱４から水平に突設され、前記軸支持部３に支持され、上下方向に摺動自在な軸７が設けられ、当該軸７の下端にパンチ８が設けられている。このパンチ８はその先端部が前記ストリッパー６の孔を通ってダイ５の中空部に挿通自在となっている。
【０００４】
また、前記軸７の上端は軸受け部９に垂直方向に回転自在に軸支され、前記軸受け部９は前記本体１の下部両側にその下端をそれぞれ軸支されたリンク片１０、１０の上端に軸支され、当該軸受け部９から伸びたハンドル１１を動かすことにより軸７が軸支持部３に対して上下に摺動し、前記パンチ８の先端部がダイ５の中空部内に出入自在となっている。また、前記台座２の前部から反力受けとなる固定棒１２が伸びており、その先端部に振れ防止金具１２ａが設けられている。また、前記台座２の前部を貫通する突き当てゲージ１３が設けられている。
【０００５】
このレースウェイ穴開け工具Ｂを用いてレースウェイＣの天板に穴を開けるには、図１０に示すように、レースウェイＣを伏せた状態で前記ダイ５の上に当該レースウェイＣの天板を載せ、その上のストリッパー６の孔の縁に設けた中心線に、レースウェイＣの穴開け位置を合わせ、ハンドル１１を上から下に下げることによって、軸７及びその先端のパンチ８がストリッパー６の孔を通ってレースウェイＣの天板に穴を開け、続いてパンチ８の先端部はダイ５の中空部内に入る。その後、ハンドル１１を上に持ち上げると、パンチ８が上に上がり、レースウェイＣはこれとともに上に引き上げられるが、ストリッパー６に当たり、これに抑えられて、パンチ８のみがレースウェイＣから外れる。
【０００６】
この様なレースウェイＣの穴開け作業は、一定の長さのレースウェイ１本につき少なくとも両端部、又はその間で複数個所開ける。そしてこのようなレースウェイを多数本必要とする場合が多く、実現場では大量の穴開け作業が必要となる。
【０００７】
その際に、前記穴開け作業の間、レースウェイＣが傾かないように、また、位置がずれないように支える作業員が必要となる。これはレースウェイＣが長い場合は特に必須である。また、当該レースウェイ穴開け工具Ｂには付属の突き当てゲージ１３が付いているが、ゲージ１３が短いため、穴開け箇所がレースウェイＣの端部から遠い場合にはゲージ１３が届かず、その都度メジャーで測定してレースウェイＣの位置を決めなければならず、非常に手間がかかる。
【０００８】
特許文献１のものは、図１０の前記レースウェイ穴開け工具Ｂとほぼ同じ構成のものであり、ダブルテコ機構によって厚みのある金属型材でも手動で穴開け作業ができるというものである。
【先行技術文献】
【特許文献】
【０００９】
【特許文献１】特開２００１−４７１５１号公報
【考案の開示】
【考案が解決しようとする課題】
【００１０】
しかしながら、前記特許文献１の金属型材の穿孔工具においても、型材が傾かないように、また、作業員が型材の位置がずれないように支える必要がある。また、その都度型材の穴開け位置をメジャーで測定しなければならず、手間のかかる作業となっている。
【００１１】
この考案は、これらの点に着目し、穴開けするレースウェイを支持する支持台を設け、また、必要とする長さに切断できるストッパー体を設けて１人の作業員でも穴開けが容易にかつ迅速にできるレースウェイ穴開け用治具を提供することを目的としたものである。
【課題を解決するための手段】
【００１２】
請求項１の考案は、管状のダイを支える台座とその上方の軸支持部とを後部の支柱で接続した本体の前記ダイの上面に、レースウェイを横から挿入して当該レースウェイの天板を載置し、ハンドルを動かすことにより、前記軸支持部に上下摺動自在に支持された軸の下端に設けたパンチを前記ダイの位置に対向する前記天板に上から押し当てて前記天板に穴を開けるレースウェイ穴開け工具を用いる治具において、一定の大きさを有する基板の上に前記レースウェイ穴開け工具を固定し、前記レースウェイ穴開け工具の脇の基板に、前記レースウェイをダイに載せた方向で、少なくとも上部がレースウェイ形状となっている細長いストッパーレールを設け、当該ストッパーレールの上に、前記ダイに載置したレースウェイの一端を係止する摺動自在かつ固定自在なストッパー体を設け、また、前記ストッパーレールと反対側の前記レースウェイ穴開け工具の脇に、前記ストッパーレールの延長線上の位置に、レースウェイを載せる支持基台を設け、当該支持基台はレースウェイ穴開け工具のダイに載せたレースウェイをほぼ水平に支持する高さを有する、レースウェイ穴開け用治具とした。
【００１３】
また、請求項２の考案は、前記ストッパー体は、前記ストッパーレール上に載置する水平板とその一端の垂直板とから成り、前記水平板と対向した位置に、当該ストパーレールのレースウェイ部の両上端縁を下から係止する係止板を設け、前記水平板と係止板とを貫通するボルトの端部にナットを螺着し、当該ボルト又はナットを締め付けることにより、水平板と係止板とにより前記レースウェイの両上端縁を挟持し、ストッパー体をストッパーレール上で固定する構成となっている、請求項１に記載のレースウェイ穴開け用治具とした。
【００１４】
また、請求項３の考案は、前記支持基台は、載置するレースウェイの側面を当てるガイド板が支持基台の一側に設けられている、請求項１又は２に記載のレースウェイ穴開け用治具とした。
【００１５】
また、請求項４の考案は、前記ストッパー体の水平板又は垂直板から直角に水平突体を設けた、請求項１〜３のいずれかに記載のレースウェイ穴開け用治具とした。
【００１６】
また、請求項５の考案は、前記レースウェイ穴開け工具のダイ中央からの長さを表示する目盛をストッパーレールに沿って設けた、請求項１〜４のいずれかに記載のレースウェイ穴開け用治具とした。
【考案の効果】
【００１７】
請求項１の考案によれば、当該治具ではレースウェイ穴開け工具に通して左右に伸びたレースウェイの端部を支持基台で同じ高さに支持するため、一人の作業員がレースウェイ穴開け工具を操作すれば、確実かつ正確にレースウェイの天板に穴を開けることができる。また、レースウェイの端部から所定の長さの位置に穴を開ける際、レースウェイ穴開け工具のダイの中心位置からストッパー体の位置までの長さを所定の位置に合わせて固定すれば、いちいちメジャーで長さを測らなくても、レースウェイの端部から所定の長さの位置に穴を開けることが容易にできる。従って、多数の穴開け作業において、容易、迅速、かつ、正確な作業が可能である。
【００１８】
また、請求項２の考案によれば、ストッパー体は、ボルト又はナットを緩めれば、ストッパーレール上の位置を変えることができ、また、特定のストッパーレールから取り外し、他のストッパーレールに装着することができる。従って、レースウェイ穴開け工具のダイの中心位置から一定の長さにストッパー体の位置を簡単かつ確実に固定できる。
【００１９】
また、請求項３の考案によれば、レースウェイを支持基台に載せる際、ガイド板にその側面を合わせれば、レースウェイ穴開け工具のダイに、正しい位置方向でレースウェイを載せることができ、これにより、所定の穴開け箇所に正確に穴を開けることができる。
【００２０】
また、請求項４の考案によれば、ストッパー体の横から水平突体を設けているため、前記レースウェイ穴開け工具のダイの中心位置から前記水平突体までの長さをメジャーで測れば、容易且つ正確にその長さが分かり、レースウェイの端部から所定の長さの位置に容易に穴を開けることができる。
【００２１】
また、請求項５の考案によれば、ストッパーレールに沿って目盛がついているため、前記レースウェイ穴開け工具のダイの中心位置からストッパー体までの長さが容易にわかり、レースウェイの端部から所定の長さの位置でレースウェイに穴を容易かつ正確に開けることができる。
【図面の簡単な説明】
【００２２】
【図１】この考案の実施の形態例１のレースウェイ穴開け用治具の斜視図である。
【図２】この考案の実施の形態例１のレースウェイ穴開け用治具の平面図である。
【図３】この考案の実施の形態例１のレースウェイ穴開け用治具の支持基台箇所の拡大断面正面図である。
【図４】この考案の実施の形態例１のレースウェイ穴開け用治具のストッパーレール箇所の拡大断面正面図である。
【図５】この考案の実施の形態例１のレースウェイ穴開け用治具のストッパーレール箇所の拡大断面側面図である。
【図６】この考案の実施の形態例１のレースウェイ穴開け用治具の使用状態における正面図である。
【図７】この考案の実施の形態例１のレースウェイ穴開け用治具の使用状態における平面図である。
【図８】この考案の実施の形態例１のレースウェイ穴開け用治具に他の構成を付加した平面図である。
【図９】この考案の実施の形態例１のレースウェイ穴開け用治具にさらに他の構成に変形した状態の拡大一部平面図である。
【図１０】この考案の実施の形態例１のレースウェイ穴開け用治具に用いるレースウェイ穴開け工具の使用状態を示す斜視図である。
【考案を実施するための形態】
【００２３】
（実施の形態例１）
この考案の実施の形態例１のレースウェイ穴開け用治具Ａを図１〜図７に基づいて説明する。
【００２４】
当該レースウェイ穴開け用治具Ａに使用するレースウェイ穴開け工具Ｂは図１０に示すものであり、一定の大きさを有する平板から成る基板１５の中央奥部に載置され、固定されている。その際レースウェイ穴開け工具Ｂの固定棒１２の先端部の振れ防止金具１２ａは基板１５にねじ等で固定される。
【００２５】
前記穴開け工具Ｂの一方の側面に対向する基板１５上であって、前記穴開け工具Ｂに通したレースウェイＣの軸線上となる位置に支持基台１６が設けられている。
【００２６】
この支持基台１６の一側面には、図３に示すように、複数のガイド板１７が間隔をあけて設けられ、各ガイド板１７は支持基台１６の上面から突出しており、載置するレースウェイＣの一側面をガイド板１７に当てると、レースウェイ穴開け工具Ｂに対してレースウェイＣを真横（正しい方向）に、かつ、水平に支持できる構成となっている。
【００２７】
また、前記穴開け工具Ｂの他方の側面に対向する基板１５上に、前記穴開け工具Ｂに通したレースウェイＣの軸線上となる位置にストッパーレール１８が設けられている。そして、このストッパーレール１８と前記支持基台１６とは一直線上に設けられている。また、このストッパーレール１８は、レースウェイ形状で両側上端から内側に先端が斜め下方に傾斜した上端縁を有するレースウェイ部１８ａとなっている。
【００２８】
このストッパーレール１８の上にストッパー体１９が摺動自在かつ固定自在に載置され、当該ストッパー体１９により前記穴開け工具Ｂに通したレースウェイＣの一端を係止するものである。
【００２９】
前記ストッパー体１９は水平板１９ａとその一端に垂直板１９ｂとから構成されている。前記水平板１９ａの下にはスペーサ２０が設けられ、当該スペーサ２０に対向する位置のストッパーレール１８のレースウェイ部１８ａの両上端縁１８ｂの下に係止板２１を設けている。
【００３０】
これらの水平板１９ａ及びスペーサ２０と係止板２１を貫通するボルト２２を、間隔をあけて２個設け、こられの各ボルト２２の下部にナット２３を螺着し、ボルト２２又はナット２３を緩めることにより、前記ストッパー体１９はストッパーレール１８に沿って摺動自在となる。一方、前記ボルト２２又はナット２３を締め付けることによって、水平板１９ａ及びスペーサ２０と各係止板２１がレースウェイ部１８ａの両上端縁１８ｂを挟持し、当該ストッパー体１９はストッパーレール１８上に固定される。
【００３１】
また、前記ストッパー体１９の水平板１９ａの一側面から略直角に水平突体２４を突出させている。
【００３２】
この実施の形態例１のレースウェイ穴開け用治具Ａは以上の構造であり、これを用いてレースウェイＣの天板に穴を開けるには、まず前記ストッパー体１９の位置を決める。それには、図７に示すように、レースウェイ穴開け工具Ｂのストリッパー６の中央線からストッパー体１９の垂直板１９ｂまでの長さをメジャー２５で測り、予め定めたレースウェイＣの端部から穴開け予定箇所までの長さに合わせた位置にストッパー体１９を移動させて固定する。その際、メジャー２５の端部を前記水平突体２４に載せて測ると前記長さを正確にかつ容易に測ることができる。
【００３３】
そして、図６及び図７に示すように、レースウェイＣをレースウェイ穴開け工具Ｂのダイ５に載せて、その先端を前記ストッパー体１９の垂直板１９ｂに当て、レースウェイＣの後部を支持基台１６に載せる。その際、レースウェイＣの一側を各ガイド板１７に当接させる。
【００３４】
そして、作業員は前記レースウェイ穴開け工具Ｂのハンドル１１を上からおろしてレースウェイＣの天板に穴を開ける。そして、ストッパー体１９の位置を固定したまま、複数のレースウェイＣの天板の穴開けをすることにより、同じ位置での穴開け作業を迅速、容易、正確に行うことができる。
【００３５】
なお、図８に示すように、予めストッパーレール１８に、又はストッパーレール１８の脇の基板１５に、前記レースウェイ穴開け工具Ｂのストリッパー６又はダイ５の中央箇所からの長さの目盛２６を設けておけば、メジャー２５で測る必要がなく、レースウェイＣの端部から穴開け予定箇所までの長さに相応するように、ストッパー体１９の垂直板１９ｂの位置を目盛２６に従って合わせて固定すればよい。
【００３６】
また、前記水平突体２４はストッパー体１９の水平板１９ａの中ごろから一側に突出させているが、図９に示すように、ストッパー体１９の垂直板１９ｂの前面に合わせた位置から突出させれば、レースウェイ穴開け工具Ｂのダイ５又はストリッパー６の中央から当該水平突体２４の前端箇所までの長さを単純に測ればよい。
【００３７】
なお、上記実施の形態例１では、ストッパー体１９の水平板１９ａの下にスペーサ２０を設けたが、このスペーサ２０は任意のもので、レースウェイ穴開け工具Ｂに通したレースウェイＣの端部を係止する高さの垂直板１９ｂを設ければ、スペーサ２０は不要である。
【００３８】
また、ストッパーレール１８の高さを、レースウェイ穴開け工具Ｂに通したレースウェイＣの高さに合わせた高さとし、レースウェイ穴開け工具Ｂから出てきたレースウェイＣをストッパーレール１８に載せて、前記ストッパー体１９の垂直板１９ｂでその端部を止める構成にしてもよい。また、前記支持基台１６のガイド板１７を３個設けているが、これらのガイド板１７の数は任意であり、１枚の板からなるガイド板１７でもよい。
【符号の説明】
【００３９】
Ａ      レースウェイ穴開け用治具
Ｂ      レースウェイ穴開け工具
Ｃ      レースウェイ
１      本体                        ２      台座
３      軸支持部                    ４      支柱
５      ダイ                        ６      ストリッパー
７      軸                          ８      パンチ
９      軸受け部                    １０    リンク片
１１    ハンドル                    １２    固定棒
１２ａ  振れ防止金具                １３    突き当てゲージ  
１５    基板                        １６    支持基台
１７    ガイド板                    １８    ストッパーレール
１８ａ  レースウェイ部              １８ｂ  上端縁
１９    ストッパー体                １９ａ  水平板
１９ｂ  垂直板                      ２０    スペーサ
２１    係止板                      ２２    ボルト
２３    ナット                      ２４    水平突体
２５    メジャー                    ２６    目盛
【図１】
0003226136.tif 000003
【図２】
0003226136.tif 000004
【図３】
0003226136.tif 000005
【図４】
0003226136.tif 000006
【図５】
0003226136.tif 000007
【図６】
0003226136.tif 000008
【図７】
0003226136.tif 000009
【図８】
0003226136.tif 000010
【図９】
0003226136.tif 000011
【図１０】
0003226136.tif 000012
【手続補正書】
【提出日】令和2年2月28日(2020.2.28)
【手続補正１】
【補正対象書類名】実用新案登録請求の範囲
【補正対象項目名】全文
【補正方法】変更
【補正の内容】
【実用新案登録請求の範囲】
【請求項１】
管状のダイを支える台座とその上方の軸支持部とを後部の支柱で接続した本体の前記ダイの上面に、レースウェイを横から挿入して当該レースウェイの天板を載置し、ハンドルを動かすことにより、前記軸支持部に上下摺動自在に支持された軸の下端に設けたパンチを前記ダイの位置に対向する前記天板に上から押し当てて前記天板に穴を開けるレースウェイ穴開け工具を用いる治具において、
一定の大きさを有する基板の上に前記レースウェイ穴開け工具を固定し、前記レースウェイ穴開け工具の脇の基板に、前記レースウェイをダイに載せた方向で、少なくとも上部がレースウェイ部となっているストッパーレールを設け、当該ストッパーレールの上に、前記ダイに載置したレースウェイの一端を係止する、摺動自在かつ固定自在なストッパー体を設け、また、前記ストッパーレールと反対側の前記レースウェイ穴開け工具の脇に、前記ストッパーレールの延長線上の位置に、レースウェイを載せる支持基台を設け、当該支持基台はレースウェイ穴開け工具のダイに載せたレースウェイをほぼ水平に支持する高さを有することを特徴とする、レースウェイ穴開け用治具。
【請求項２】
前記ストッパー体は、前記ストッパーレール上に載置する水平板とその一端の垂直板とから成り、前記水平板と対向した位置に、当該ストッパーレールのレースウェイ部の両上端縁を下から係止する係止板を設け、前記水平板と係止板とを貫通するボルトの端部にナットを螺着し、当該ボルト又はナットを締め付けることにより、水平板と係止板とにより前記レースウェイ部の両上端縁を挟持し、ストッパー体をストッパーレール上で固定する構成となっていることを特徴とする、請求項１に記載のレースウェイ穴開け用治具。
【請求項３】
前記支持基台は、載置するレースウェイの側面を当てるガイド板が支持基台の一側に設けられていることを特徴とする、請求項１又は２に記載のレースウェイ穴開け用治具。
【請求項４】
前記ストッパー体の水平板又は垂直板から直角に水平突体を設けたことを特徴とする、請求項１〜３のいずれかに記載のレースウェイ穴開け用治具。
【請求項５】
前記レースウェイ穴開け工具のダイ中央からの長さを表示する目盛をストッパーレールに沿って設けたことを特徴とする、請求項１〜４のいずれかに記載のレースウェイ穴開け用治具。